【手続補正書】
【提出日】平成24年8月10日(2012.8.10)
【手続補正１】
【補正対象書類名】特許請求の範囲
【補正対象項目名】全文
【補正方法】変更
【補正の内容】
【特許請求の範囲】
【請求項１】
横方向に支持された袋の袋口にトレイを差し入れて、トレイに載せられた物品を袋内にプッシャーで押し込んでシールする包装装置の袋詰め装置であって、
トレイ底部に突起を配置し、トレイ底部から前記突起が出退して、トレイに載せられた物品の滑りを止めて転倒を防止するストッパー機構を設けたことを特徴とする袋詰め装置。
【請求項２】
前記トレイはチャネル状に形成され、該トレイの底部にスリットが形成され、物品の滑り止めとなる前記突起が前記スリットから出退するストッパー機構を備え、
前記ストッパー機構は、バネ板に前記突起が設けられ、トレイ底面に該バネ板の一端を固定し、先端側はトレイから離間し、前記バネ板の先端側を昇降機構により昇降させることを特徴とする請求項１に記載の袋詰め装置。
【請求項３】
前記昇降機構は、高低差を有する昇降台と、前記昇降台上を転動する誘導ローラと、この誘導ローラの昇降動と連動して、バネ板の先端側に当接、離間して前記突起をスリットに出退させる昇降ローラと、を備えた請求項２に記載の袋詰め装置。
【請求項４】
無限軌道を周回する複数のトレイに、複数の物品を載せるために、トレイ上方に物品を整頓して載せるためのガイド壁を設けたことを特徴とする請求項１に記載の袋詰め装置。
【手続補正２】
【補正対象書類名】明細書
【補正対象項目名】０００４
【補正方法】変更
【補正の内容】
【０００４】
しかし、従来の袋詰め装置のトレイは底面がフラットで滑りやすい為、シート状の物品、例えばソースや味噌を収納した小袋などを起立した状態で袋内に押し込もうとすると、小袋が転倒して、収納ミスが発生するおそれがあり、袋詰め作業が困難であるという問題点があった。
【手続補正３】
【補正対象書類名】明細書
【補正対象項目名】０００６
【補正方法】変更
【補正の内容】
【０００６】
そこで本発明は、不安定な物品を安定的に袋内に収納することができる袋詰め装置を提供するものであり、横方向に支持された袋の袋口にトレイを差し入れて、トレイに載せられた物品を袋内にプッシャーで押し込んでシールする包装装置の袋詰め装置であって、トレイに載せられた物品の滑りを止めて転倒を防止する突起をトレイ底部に配置し、トレイ底部から前記突起が出退するストッパー機構を設けたことを特徴とする。
【手続補正４】
【補正対象書類名】明細書
【補正対象項目名】０００７
【補正方法】変更
【補正の内容】
【０００７】
本発明は前記構成により、物品の滑り止めとなる突起がトレイ底部から出退するため、不安定なシート状の物品であっても、この突起が物品の滑りを止めて転倒することを防止する。このため、不安定なシート状の物品であっても安定的に物品の袋詰め作業を行うことができる。
【手続補正５】
【補正対象書類名】明細書
【補正対象項目名】００１３
【補正方法】変更
【補正の内容】
【００１３】
（Ｄ）のポジションで、メインプッシャー８を用いて袋内へ物品９の充填が行われる。（Ｅ）のポジションで袋３の折り目を整え、（Ｆ）のポジションでシール装置１０により袋口３Ａをシールする。（Ｇ）のポジションで袋口３Ａをシールした袋３を排出用コンベヤ１１により排出する。
【手続補正６】
【補正対象書類名】明細書
【補正対象項目名】００１５
【補正方法】変更
【補正の内容】
【００１５】
トレイ１２は、図５に示すように、両側に側板１２Ａが直角に立設してチャネル状に形成されており、先端部と後端部は開放されている。なお、先端部は平面視において台形状をしている。トレイ１２の後部底面に、ブロック２２が固定されて、このブロック２２から下方にローラ２３が突出して軸支されている。このローラ２３は後述する誘導溝４１に沿って移動するため、誘導溝４１の曲がり具合に応じて、トレイ１２がスライドバー２０，２１に支持されながら摺動する。
【手続補正７】
【補正対象書類名】明細書
【補正対象項目名】００１９
【補正方法】変更
【補正の内容】
【００１９】
前記突起２５Ａを上下方向に出退するための昇降機構２７を図２乃至図４を用いて説明する。前記のように、ストッパー機構２５のバネ板２５Ｂはトレイ１２の裏面から離間する方向に取り付けられているので、通常、図３に示すように、突起２５Ａはスリット２６から抜け出した状態にある。このストッパー機構２５の突起２５Ａをスリット２６に挿通するための機構が図３、図４に示す昇降機構２７である。
【手続補正８】
【補正対象書類名】明細書
【補正対象項目名】００２３
【補正方法】変更
【補正の内容】
【００２３】
次に、図６を用いて本発明の袋詰め装置の作動を説明する。
図６の説明図では無限軌道１３の移動は左から右方向に移動し、トレイ１２も左から右方向に搬送される。前記誘導溝４１は、図２に示すように、トレイ１２の後部の下方に敷設されており、ローラ２３を誘導する。
【手続補正９】
【補正対象書類名】明細書
【補正対象項目名】００２６
【補正方法】変更
【補正の内容】
【００２６】
図６の（II）のポジションから（III）のポジションでは、誘導溝４１がセンター方向に曲がっており、（II）から（III）のポジションではローラ２３を介してトレイ１２をセンター方向に誘導してトレイ１２の先端が無限軌道１３の側縁から突出している。
【手続補正１０】
【補正対象書類名】明細書
【補正対象項目名】００２８
【補正方法】変更
【補正の内容】
【００２８】
（IV）のポジションでは、誘導溝４１の欠損部に在ったローラ２３をメインプッシャー８の押出しバー８Ａによりトレイ１２をロータリー包装装置１に支持された袋３の袋口３Ａ側に押し出す。同時にメインプッシャー８のプッシャー８Ｂは物品９を袋内に押し込む。
【手続補正１１】
【補正対象書類名】明細書
【補正対象項目名】００３０
【補正方法】変更
【補正の内容】
【００３０】
前記の実施の形態では、ストッパー機構２５の突起２５Ａは一片だけであったが、この突起２５Ａは一片に限定されるものではなく、図７に示すように、トレイの長手方向の２箇所、特にトレイ１２の先端部分に設けてもよい。これにより、図６の（III）のポジションから（IV）のポジションにトレイ１２が移動するときに、プッシャー３９Ａの押し出し後の移動により物品９がトレイ１２から落下する心配がない。また、突起２５Ａの形状についても図８に示すように、トレイの底部の横に広く形成したものであってもよいし、２分割、３分割したものであってもよい。さらに、トレイの底面に物品の滑りを抑えるための塗装を塗布したり、シートを貼り付けたりしてもよい。
【手続補正１２】
【補正対象書類名】図面
【補正対象項目名】図１
【補正方法】変更
【補正の内容】
【図１】
2011051653.tif 000001
【手続補正１３】
【補正対象書類名】図面
【補正対象項目名】図２
【補正方法】変更
【補正の内容】
【図２】
2011051653.tif 000002
【手続補正１４】
【補正対象書類名】図面
【補正対象項目名】図３
【補正方法】変更
【補正の内容】
【図３】
2011051653.tif 000003
【手続補正１５】
【補正対象書類名】図面
【補正対象項目名】図６
【補正方法】変更
【補正の内容】
【図６】
2011051653.tif 000004